(57)【要約】【課題】測定対象物を変えて測定する際にも別途用意される測長器具を用いることなく、簡単に今回の測定対象物との間の離間距離を正確に確認することができる磁界センサの提供。【解決手段】ケーシング１２内に電磁界を検出するためのセンサ部を収容して形成される磁界センサ１１において、ケーシング１２には、前記センサ部と測定対象物４１との間の離間距離を確認する距離確認手段２１を具備させた。該距離確認手段２１は、ケーシング１２の前面１２ａに配置して前方の所定距離にて光軸相互の交差を自在に光照射する一対の発光体２２，２２や、ケーシング１２に対しその前後方向への進退を自在に配設された当接測長腕体により形成することができる。【選択図】図２
2008157734.tif 000002
【特許請求の範囲】
【請求項１】
ケーシング内に電磁界を検出するためのセンサ部を収容して形成される磁界センサにおいて、
前記ケーシングには、前記センサ部と測定対象物との間の離間距離を確認する距離確認手段を具備させたことを特徴とする磁界センサ。
【請求項２】
前記距離確認手段は、前記ケーシングの前面に配置して前方の所定の離間距離にて光軸相互の交差を自在に光照射する一対の発光体である請求項１に記載の磁界センサ。
【請求項３】
一対の前記発光体は、それぞれの照射方向を可変にして配設した請求項２に記載の磁界センサ。
【請求項４】
前記距離確認手段は、前記ケーシングに対しその前後方向への進退を自在に配設された当接測長腕体である請求項１に記載の磁界センサ。
【請求項５】
前記当接測長腕体は、前記ケーシングに進退自在に配設される一対の測長杆と、これら測長杆を先端側にて一体的に連結して前記測定対象物に当接させる当接プレートとを少なくとも備える請求項４に記載の磁界センサ。
【発明の詳細な説明】
【技術分野】
【０００１】
本発明は、磁界測定装置に組み込まれる磁界センサに関する技術である。
【背景技術】
【０００２】
日常生活で用いられている電磁調理器や電気炊飯器や電気毛布などの各種電気製品からは、商用周波数程度から数十〜百ｋＨｚ程度の周波数帯域の広い交番電磁界が不特定の方向に放射されている。このような電磁界は、微弱ではあるものの、生体に対する安全性や影響の如何が懸念されている。
【０００３】
磁界測定装置は、このような要請に対応すべく開発され、例えば下記特許文献１に示すような３軸磁界センサを備えて形成されている。
【特許文献１】特開２００３−１４９３０８号公報
【０００４】
上記特許文献１に開示されている磁界測定装置を含む従来からある磁界測定装置を用いて磁束あるいは磁束密度を測定しようとする場合には、磁界センサから測定対象までの離間距離を確認し、該磁界センサの位置を測定距離に合わせた上で測定する必要があった。
【発明の開示】
【発明が解決しようとする課題】
【０００５】
ところで、ＩＥＣ６２２３３やＥＮ５０３６６といったような規格においては、測定対象物の別に測定対象までの離間距離が０ｃｍ，１０ｃｍ，３０ｃｍ，５０ｃｍなどというように予め決められているため、測定の都度、磁界センサの位置を変えて測定する必要があった。
【０００６】
しかし、従来からある磁界測定装置を用いる場合には、位置を変えて測定する度に、定規や巻き尺などのような測長器具を用いてその距離を改めて確認しなければならない煩雑さがあった。
【０００７】
本発明は、従来技術にみられた上記課題に鑑み、測定対象物を変えて測定する際にも別途用意される測長器具を用いることなく、簡単に今回の測定対象物との間の離間距離を正確に確認することができるようにした磁界センサを提供することを目的とする。
【課題を解決するための手段】
【０００８】
本発明は、上記目的を達成すべくなされたものであり、ケーシング内に電磁界を検出するためのセンサ部を収容して形成される磁界センサにおいて、前記ケーシングには、前記センサ部と測定対象物との間の離間距離を確認する距離確認手段を具備させたことを最も主要な特徴とする。
【０００９】
本発明において前記距離確認手段は、前記ケーシングの前面に配置して前方の所定距離にて光軸相互の交差を自在に光照射する一対の発光体により形成することができる。この場合、各発光体は、それぞれの照射方向を可変にして配設することもできる。
【００１０】
また、前記距離確認手段は、前記ケーシングに対しその前後方向への進退を自在に配設された当接測長腕体として形成することもできる。この場合、前記当接測長腕体は、前記ケーシングに進退自在に配設される一対の測長杆と、これら測長杆を先端側にて一体的に連結して前記測定対象物に当接させる当接プレートとを少なくとも具備させて形成するのが好ましい。
【発明の効果】
【００１１】
請求項１に記載の発明によれば、磁界センサは、センサ部と測定対象物との間の離間距離の確認する距離確認手段をケーシングに備えているので、位置を変えて測定する際にも別途用意される測長器具を用いることなく、簡単に離間距離を確認することができる。
【００１２】
請求項２に記載の発明によれば、距離確認手段は、ケーシングの前面に配置して前方の所定の離間距離にて光軸相互の交差を自在に光照射する一対の発光体により形成されているので、光軸相互の交差光点を目視することで容易にセンサ部と測定対象物との間の正確な離間距離を確認することができる。
【００１３】
請求項３に記載の発明によれば、各発光体の照射方向を可変にして配設されているので、光軸相互の交差光点の位置を前後方向に変化させることで、離間距離の長短にも柔軟に対応させながらセンサ部と測定対象物との間の正確な離間距離を確認することができる。
【００１４】
請求項４に記載の発明によれば、距離確認手段は、ケーシングに対しその前後方向への進退を自在に配設された当接測長腕体により形成されているので、当接測長腕体を進退させることでセンサ部と測定対象物との間の離間距離を容易に、かつ、正確に確認することができる。また、離間距離の長短にも柔軟に対応させることができる。
【００１５】
請求項５に記載の発明によれば、当接測長腕体は、一対の測長杆と、これら測長杆を先端側にて連結する当接プレートとを備えているので、測長杆側をより安定的に進退させることができるほか、当接プレートを測定対象物に当接させることで正確に離間距離を測長することができる。
【発明を実施するための最良の形態】
【００１６】
図１は、本発明の一例を示す全体斜視図であり、磁束や磁束密度を測定する磁界センサ１１は、球体を基本形としてその上下各四カ所の面領域に同一形状の凹陥部１２を各別に設けて形成されたケーシング１２内に、該ケーシング１２の凹凸形状との対応関係のもとで配置されて電磁界を検出するセンサ部（図示せず）を収容してその全体が形成されている。
【００１７】
また、ケーシング１２の前面１２ａには、図２（ａ）に示すように前方の所定の離間距離にて光軸相互の交差を自在に光照射する一対の発光体２２，２２が距離確認手段２１として配設されており、その交差光点２３によりセンサ部と測定対象物４１との間の正確な離間距離Ｌ１の確認が自在となっている。
【００１８】
この場合、一対の発光体２２，２２は、ＬＥＤ光やレーザ光などのような直進性に優れた光を照射できる光源を具備させて形成するのが好ましいが、所望によりレンズ付きの豆電球なども光源として用いることができる。
【００１９】
また、一対の発光体２２，２２は、それぞれの照射方向を可変にしてケーシング１２の前面に配設し、測定対象物４１の別に測定対象までの距離が異なる場合にも容易に対応させることができるようにすることもできる。この場合、照射方向は、個々の測定対象物４１の別に定められている離間距離との関係が把握できるように、発光体２２とケーシング１２側とに離間距離との関係で定まる位置合わせのための適宜の記号を付すことで、正確に変更できるようにしておく必要がある。
【００２０】
また、一対の発光体２２，２２に付与される照射方向の可変構造は、各発光体２２とケーシング１２側との間に人為的もしくは自動的に任意方向に照射方向を変えることができる例えば周知のピポット軸受けや玉継手などを介在させたり、発光体２２が備える図示しない光源自体を同様に任意方向に移動できるように配置してもよい。
【００２１】
図４は、本発明の他例を示す全体斜視図であり、磁界センサ１１は、図１に示す例と同一の形状を呈してその全体が形成されている。この場合、距離確認手段２１は、ケーシング１２に対しその前後方向への進退を自在に配設された当接測長腕体３２により形成されている。
【００２２】
これを図示例を参酌してさらに詳しく説明すれば、当接測長腕体３２は、ケーシング１２の上半分側に位置する凹陥部１３にあって、測定対象物４１が位置する前方と正対する位置関係にある左右一対の垂直隔壁部１４，１４の面方向と直交する方向を長さ方向とする一対の測長杆３３，３３と、これらの測長杆３３，３３を先端側にて一体的に連結して測定対象物４１に当接させる当接プレート３４とを備えて形成されている。
【００２３】
この場合、適宜の長さが付与された各測長杆３３は、各垂直隔壁部１４に形成された貫通ガイド孔１５に挿通配置されており、該貫通ガイド孔１５を介して進退自在に移動できるようになっている。
【００２４】
また、当接プレート３４は、スポンジやシリコーンゴムなどからなるプレート状のクッション材３５を測定対象物４１との当接面側に配設しておくのが好ましい。さらに、各測長杆３３の基端側には、貫通ガイド孔１５からの抜脱を阻止するストッパー３６を固着もしくは着脱自在に付設しておくのが望ましい。
【００２５】
この場合、当接測長腕体３２は、個々の測定対象物４１との関係で定まるセンサ部との間の離間距離に対応する長さが付与された測長杆３３を具備させて形成し、ストッパー３６を着脱することでケーシング１２に対し交換自在に配設することもできる。
【００２６】
また、当接測長腕体３２は、個々の測定対象物４１との関係で定まるセンサ部との間の離間距離の別を知ることができる例えば目盛りのような識別標識を測長杆３３に予め付しておき、該測長杆３３を進退させることでその時々の測定対象物４１との関係で定まる離間距離を目視確認や接触確認できるようにしておくこともできる。
【００２７】
次に、本発明の作用・効果を図１に示す例について説明すれば、磁界センサ１１を使用するに際しては、一対の発光体２２，２２を点灯させる。これらの発光体２２は、それぞれの照射光が図２（ａ）に示すように前方の所定の正確な離間距離Ｌ１を隔てて交差して１個の交差光点２３を結ぶにようにそれぞれの照射方向が調整されている。
【００２８】
このため、測定対象物４１との間の離間距離が適正なものであれば、１個の交差光点２３が図２（ｂ）に示すように測定対象物４１側に投影される結果、これを目視することで測定対象物４１との間の離間距離が正確に設定されていることを容易に確認することができるので、磁束や磁束密度を正確に測定することができる。
【００２９】
しかし、測定対象物４１との間の離間距離が図３（ａ）に示すように近すぎる不正確な離間距離Ｌ２であったり、図３（ｂ）に示すように遠すぎる不正確な離間距離Ｌ３であったりする場合には、図３（ｃ）に示されているように測定対象物４１側に２個の単独光点２４が投影される結果、これを目視することで測定対象物４１との間の離間距離が不正確に設定されていることを容易に確認することができる。
【００３０】
また、図１には、一対の発光体２２，２２の照射方向が固定されている例が示されている。しかし、照射方向を可変とする場合には、個々の測定対象物４１の別に定められている離間距離との関係が把握できるように、発光体２２とケーシング１２側とに離間距離との関係で定まる位置合わせのための適宜の記号を付しておき、前記記号相互の位置合わせのために発光体２２側を動かすことで正確な離間距離が得られる照射方向へと変更できることになる。
【００３１】
一方、本発明の作用・効果を図４に示す例について説明すれば、磁界センサ１１を使用するに際しては、今回測定する測定対象物４１との関係で定まる離間距離を正確に測長することができる長さが付与された一対の測長杆３３，３３を備える当接測長腕体３２をケーシング１２の貫通ガイド孔１５に沿わせて進退させる。
【００３２】
この場合、測定対象物４１に対しては、当接プレート３６を当接させた状態のもとで一対の測長杆３３，３３を進退させ、測定対象物４１との関係で定まる正確な離間距離を確保して磁束や磁束密度を測定することができる。すなわち、離間距離が短い場合には、図４（ａ）に示すようにケーシング１２側からの測長杆３３の突出長を短くして、離間距離が長い場合には、図４（ｂ）に示すようにケーシング１２側からの測長杆３３の突出長を長くすることで、正確な離間距離を確認しながら測定対象物４１が発する磁束や磁束密度を正確に測定することができる。
【００３３】
この場合、当接プレート３６の当接面にクッション材３５が配設されている場合には、測定対象物４１に傷を付けることなくソフトに当接させることができる。また、測長杆３３にストッパー３６が着脱自在に付設されている場合には、該ストッパー３６を外すことで、今回の測定対象物４１との関係で定まる離間距離を測長する上で最も適合する別の当接測長腕体３２と交換して、磁束や磁束密度を正確に測定することができる。
【００３４】
以上は、本発明を図示例に即して説明したものであり、その具体的な内容はこれに限定されるものではない。例えば、一対の発光体２２，２２は、ケーシング１２の前面１２ａにおける上下方向に配設することもできる。
【００３５】
また、当接測長腕体３２は、ケーシング１２に進退自在に配設された１本の測長支杆のみで形成することもできる。さらに、測長支杆３３は、ケーシング１２の垂直隔壁部１４に貫通ガイド孔１５を設けることなく、ケーシング１２に測長支杆３３を進退自在に支持する支腕部を付設することで配設することもできる。
【図面の簡単な説明】
【００３６】
【図１】本発明の一例を示す全体斜視図。
【図２】図１に示す磁界センサを用いた場合の正確な離間距離の確認状態を示す説明図であり、そのうちの（ａ）は測定対象物に対し発光体から光を照射した状態を、（ｂ）はその際に測定対象物に投影される照射光の光点の状態をそれぞれ示す。
【図３】図１に示す磁界センサを用いた場合の不正確な離間距離の確認状態を示す説明図であり、そのうちの（ａ）は測定対象物に接近し過ぎた場合を、（ｂ）は測定対象物から離れすぎた場合を、（ｃ）はこれら不正確な離間距離の場合に測定対象物に投影される照射光の光点の状態をそれぞれ示す。
【図４】本発明の他例を示す全体斜視図であり、そのうちの（ａ）は測定対象物との間の離間距離が短い場合の状態を、（ｂ）は測定対象物との間の離間距離が長い場合の状態をそれぞれ示す。
【符号の説明】
【００３７】
１１  磁界センサ
１２  ケーシング
１２ａ  前面
１３  凹陥部
１４  垂直隔壁部
１５  貫通ガイド孔
２１  距離確認手段
２２  発光体
２３  交差光点
２４  単独光点
３２  当接測長腕体
３３  測長杆
３４  当接プレート
３５  クッション材
３６  ストッパー
４１  測定対象物
Ｌ１  正確な離間距離
Ｌ２，Ｌ３  不正確な離間距離
【図１】
2008157734.tif 000003
【図２】
2008157734.tif 000004
【図３】
2008157734.tif 000005
【図４】
2008157734.tif 000006